(57)【要約】  表示装置サポート技術が説明される。1つ以上の実施形態において、装置はタッチパネルアセンブリと表示ハウジングとを含む。タッチパネルアセンブリは1つ以上のタッチセンサと透明な表面とを有する。表示ハウジングは表示モジュールを固定し、表示モジュールはタッチパネルアセンブリに光学的に結合される。タッチパネルアセンブリ及び表示ハウジングに接するようにサポート部が設けられる。
2015510205.tif 000002
【特許請求の範囲】
【請求項１】
１つ以上のタッチセンサと透明な表面とを有するタッチパネルアセンブリと、
前記タッチパネルアセンブリに光学的に結合された表示モジュールを固定する表示ハウジングと、
前記タッチパネルアセンブリ及び前記表示ハウジングに接するように設けられるサポート部と
を有する装置。
【請求項２】
前記サポート部は、前記透明な表面に対する接触に応じた前記タッチパネルアセンブリのたわみを減らすように設けられる、請求項１に記載の装置。
【請求項３】
前記サポート部は、前記透明な表面に圧力が加わったことに起因する前記表示モジュールによる１つ以上の視覚的なアーチファクトの出現を減らすように設けられる、請求項１に記載の装置。
【請求項４】
前記サポート部は、前記タッチパネルアセンブリに光学的に結合される前記表示モジュールの部分により規定される周辺部に沿って少なくとも一部が延在するように設けられる、請求項１に記載の装置。
【請求項５】
前記サポート部は、接着剤を用いて形成される、請求項１に記載の装置。
【請求項６】
携帯装置の形状因子を決定する外部筐体が設けられる、請求項１に記載の装置。
【請求項７】
前記表示モジュールは、液晶表示モジュール又は有機発光ダイオード（ＯＬＥＤ）表示モジュールとして形成される、請求項１に記載の装置。
【請求項８】
前記タッチパネルアセンブリは、１つ以上のオブジェクトとの近接性を検出するように形成される、請求項１に記載の装置。
【請求項９】
空間を形成することが可能な外部筐体と、
前記外部筐体により固定され、第１の周辺部を規定するタッチパネルアセンブリと、
表示モジュールを固定し、前記空間の中に設けられる表示ハウジングであって、前記表示モジュールは、前記表示モジュール及び前記タッチパネルアセンブリの間に隙間が形成されるように、前記タッチパネルアセンブリに光学的に結合される、表示ハウジングと、
前記隙間の中に設けられ、前記タッチパネルアセンブリに印加される圧力に応じた前記表示モジュールのたわみを減らすように形成されたサポート部と
を有する表示装置。
【請求項１０】
空間を形成することが可能な外部筐体と、
前記外部筐体により固定され、第１の周辺部を規定するタッチパネルアセンブリと、
表示モジュールを固定し、前記空間の中に設けられ、前記第１の周辺部より内側に少なくとも一部が存在する第２の周辺部を形成する表示ハウジングであって、前記表示モジュールは、前記タッチパネルアセンブリに光学的に結合されることにより、前記第２の周辺部より内側に少なくとも一部が存在する第３の周辺部を形成する、表示ハウジングと、
前記タッチパネルアセンブリ及び前記表示ハウジングの間であって前記第１の周辺部及び前記第３の周辺部の間に設けられるサポート部と
を有する表示装置。
【発明の詳細な説明】
【技術分野】
【０００１】
開示される実施の形態は表示装置等に関連する。
【背景技術】
【０００２】
コンピュータ装置の形態は絶え間なく増加している。例えばコンピュータ装置の利用はデスクトップパーソナルコンピュータの出現とともに拡大した。その形態は増加し続け、日常生活におけるコンピュータ装置の普及にも貢献し、デスクトップパーソナルコンピュータから、ラップトップコンピュータ、ネットブック、移動電話やタブレットコンピュータ等のようなモバイル通信装置等に至るまで様々である。
しかしながら、これらの形態が展開してゆくにつれて、コンピュータ装置に関連する表示装置を設けるために使用されている従来技術(発明者等にとっての従来技術)は、これら新たな形態に対しては適切でないかもしれない。例えば、これら新たな形態における従来の表示装置は、動作中やユーザの操作中に視覚的に見えるアーチファクトを形成してしまうおそれがあり、ユーザによる操作や装置の使用感の妨げになってしまうことが懸念される。
更に、場合によっては、装置を、より薄く、より軽量に、より頑強に、より丈夫で長持ちさせることに注力される。これはしばしば従来使用されているよりも薄い素子(例えば、タッチパネルアセンブリ、表示モジュール等)を含む。これらの素子は丈夫ではないので、そのような素子を強化するための技術が使用されてもよい。しかしながらそのような技術は、組み立て工程の影響やユーザが装置を操作する際に加える力の影響を、装置が強く受けるようにしてしまい、表示アーチファクトを引き起こし、ユーザによる操作性や装置の使用感に影響を及ぼしてしまうことが懸念される。
【先行技術文献】
【特許文献】
【０００３】
【特許文献１】米国特許出願公開第2011-0157087号明細書
【特許文献２】米国特許出願公開第2011-0261001号明細書
【発明の概要】
【発明が解決しようとする課題】
【０００４】
一つの側面における実施の形態の課題は、表示アーチファクトを抑制し、装置の操作性や使用感を改善することである。
【課題を解決するための手段】
【０００５】
表示装置サポート技術が説明される。1つ以上の実施形態において、装置はタッチパネルアセンブリと表示ハウジングと含む。タッチパネルアセンブリは1つ以上のタッチセンサと透明な表面とを有する。表示ハウジングは表示モジュールを固定し、表示モジュールはタッチパネルアセンブリに光学的に結合される。タッチパネルアセンブリ及び表示ハウジングに接するようにサポート部が設けられる。
一実施形態において、表示装置は、空間を形成する外部筐体(すなわち、3次元領域を有する外部筐体)と、前記外部筐体により固定され、第1の周辺部を規定するタッチパネルアセンブリと、表示モジュールを固定する表示ハウジングとを有する。表示ハウジングは前記空間の中に設けられ、前記表示モジュールは、前記表示モジュール及び前記タッチパネルアセンブリの間に隙間が形成されるように、前記タッチパネルアセンブリに光学的に結合される。前記隙間の中に設けられ、前記タッチパネルアセンブリをユーザが操作する際に印加される圧力に応じた前記表示モジュールのたわみを減らすように、サポート部が設けられる。
【０００６】
一実施形態において、表示装置は、空間を形成する外部筐体と、前記外部筐体により固定され、第1の周辺部を規定するタッチパネルアセンブリとを含む。表示ハウジングは、前記空間の中に設けられ、前記第1の周辺部より内側に少なくとも一部が存在する第2の周辺部を形成する。前記表示モジュールは、前記タッチパネルアセンブリに光学的に結合されることにより、前記第2の周辺部より内側に少なくとも一部が存在する第3の周辺部を形成する。前記タッチパネルアセンブリ及び前記表示ハウジングの間であって前記第1の周辺部及び前記第3の周辺部の間に、サポート部が設けられる。
【０００７】
この「課題を解決するための手段」の欄は以下の「発明を実施するための形態」の欄で更に説明される内容を簡易な形式で紹介するために使用されている。この欄は、特許請求の範囲に記載された事項のうち主要な特徴や本質的な特徴を特定するようには意図されておらず、特許請求の範囲に記載された事項の範囲を決定する際の判断材料として使用されるようにも意図されていない。
【図面の簡単な説明】
【０００８】
【図１】本願で説明されるサポート技術を利用する表示装置が動作可能である実施形態における環境例を示す図。
【図２】表示装置の製造の仕方を示す実施形態によるシステムを示す図。
【図３】図2に示す表示装置が組み込まれた図1に示すコンピュータ装置のシステムを平面視により示す図。
【図４】図1に示すサポート部を含むシステム例を示す図。
【図５】タッチパネルアセンブリ及び表示モジュールの具体例を詳細に示すシステムを示す図。
【発明を実施するための形態】
【０００９】
＜図面＞
以下、添付図面を参照しながら詳細な説明が行われる。図中、参照番号の左端の数字は、その参照番号が最初に登場した図番号を示す。明細書及び図面における複数の事物に同じ参照番号を使用することは、それらが同一又は類似の事物であることを示す。図面に表現されている要素は1つ以上の要素を示してもよく、従って説明の際に単独形式又は複数形式の要素が交換可能に参照されてよい。
【００１０】
図1は、本願で説明されるサポート技術を利用する表示装置が動作可能である実施形態における環境例を示す。
【００１１】
図2は、表示装置の製造の仕方を示す実施形態によるシステムを示す。
【００１２】
図3は、図2に示す表示装置が組み込まれた図1に示すコンピュータ装置のシステムを平面視により示す。
【００１３】
図4は、図1に示すサポート部を含むシステム例を示す。
図5は、タッチパネルアセンブリ及び表示モジュールの具体例を詳細に示すシステムを示す。
【００１４】
＜詳細な説明＞
＜概要＞
コンピュータ装置は様々な形態を有する。更に、これらの形態は、様々な製造業者による広範囲に及ぶ装置を利用する可能性があり、販売する単一製品を形成する場合でさえ様々な形態を形成するかもしれない。例えば、コンピュータ装置の製造業者は、多種多様なソースから多種多様な表示モジュールを利用するかもしれない。本願において「表示」は、「ディスプレイ」等と言及されてもよい。従って、これらの表示モジュールは類似する機能を提供するかもしれないが、モジュールのサイズは様々である。
【００１５】
更に、光学的結合の工程において、タッチ及び表示アセンブリによる構造は、タッチパネルアセンブリの底面側/カバーガラスと、表示モジュール及び表示モジュールの周辺部に沿うハウジングの上面側との間に、ギャップを形成するかもしれない。「ギャップ」は「隙間」又は「間隔」等と言及されてもよい。大きめに形成されたカバーガラス/タッチモジュールに起因して、ユーザが操作する最中に、片持ち梁的な作用(cantilever  action)が生じ、タッチパネル装置又はその他の表示装置における液晶表示モジュールを曲げる力に起因して、視覚的なアーチファクトが生じることが懸念される。これらの表示アーチファクトは一時的(例えば、ユーザによる操作に起因する場合)又は永続的(例えば、組み立て工程及び製造工程の最中に生じた応力に起因する場合)である可能性がある。これは、組み立て工程/変形過程が永続的な視覚的な表示アーチファクトを形成してしまうおそれがある非接触タイプのインタラクティブ装置にも適用可能である。
【００１６】
表示装置のサポート及び形成技術が説明される。一実施形態では、表示装置及びタッチパネルアセンブリを支持するように表示装置で使用されるサポート部が説明される。例えば、表示モジュール(例えば、LCD表示モジュール)はタッチパネルアセンブリに光学的に結合されてもよい。しかしながら、表示モジュールは、表示モジュールとタッチパネルアセンブリとを保持するように形成される外部筐体に対して異なるサイズを有するかもしれない。ギャップは、タッチモジュール及び表示モジュールの間の光学的な結合(optical  bonding)に起因する。大きめに形成されたカバーガラス/タッチパネルは、片持ち梁効果に起因して、ギャップ領域で作用する応力を強め、上述したような視覚的なアーチファクトを引き起こしてしまうことが懸念される。
【００１７】
従って、このギャップの中にサポート部が設けられ、サポート部は、表示ハウジング及びタッチパネルアセンブリの間で接触するように形成されてよい。従って、例えばジェスチャを表現する際にタッチパネルアセンブリに加わる圧力に遭遇した場合に、表示モジュールの変形又は表示モジュールにかかる応力は低減される。このように、これら及びその他の圧力(例えば、表示装置の製造工程に起因する圧力)に応じて表示モジュールにより形成されるおそれのある視覚的なアーチファクトは少なくなり、解消することさえあり得る。上記及びその他の技術に関する更なる説明については以下のセクションにおいて行われる。
【００１８】
以下の説明において、先ず、本願で説明される技術を利用することが可能な環境例を説明する。次に、その環境例及びその他の環境例で実行されてよい手順の具体例が説明される。その結果、例示的な手順によるパフォーマンスは図示の環境例に限定されず、環境例は例示的な手順のパフォーマンスに限定されない。
＜具体的な環境例＞
【００１９】
図1は本願で説明される技術を利用して動作する実施形態における環境例100を示す。図示の環境例100は、処理システム104とメモリ106として示されているコンピュータ可読記憶媒体とを有するコンピュータ装置102を含んでいるが、後述するように他の形態も想定されている。コンピュータ可読記憶媒体は、コンピュータにより読み取ることが可能な記憶媒体である。
【００２０】
コンピュータ装置102は様々な形態で形成されてよい。例えば、コンピュータ装置は、ネットワークを介して通信を行うことが可能なコンピュータとして形成されてもよく、例えば、デスクトップコンピュータ、移動局、娯楽機器、表示装置に通信可能に結合されたセットトップボックス、無線電話、ワイヤレスフォン、ゲームコンソール、教育用インタラクティブ装置、ポイントオブセールス装置等である。従って、コンピュータ装置102は、相当なメモリ及び処理リソースを備えた上位リソース装置(例えば、パーソナルコンピュータ、ゲームコンソール等)から、限られたメモリ及び/又は処理リソースしか備えていない下位リソース装置(例えば、従来のセットトップボックス、携帯用ゲームコンソール)まで広範囲に及んでよい。更に、単独のコンピュータ装置102が示されているが、コンピュータ装置102は複数の様々な装置を表現していてもよく、例えば、ウェブサーバ等による処理を実行する業務で使用される複数のサーバ、リモートコントールとセットトップボックスとの組み合わせ、画像捕捉装置とジェスチャを捕捉するように形成されたゲームコンソールとの組み合わせ等であってもよい。更に、実施の形態は例えば折り畳み式装置(clam  shell  configuration)のような複数の表示装置を含む装置に適用されてもよい。
【００２１】
また、コンピュータ装置102はオペレーティングシステム108を含むように示されているが、オペレーティングシステムが使用されない他の形態も可能である。オペレーティングシステム108は、コンピュータ装置102において実行可能なアプリケーション110に対して、コンピュータ装置102に内在する機能を抽象化するように形成される。例えば、オペレーティングシステム108は、コンピュータ装置102の処理システム104、メモリ106、ネットワーク、及び/又は表示装置112の機能を抽象化し、それらの内在する機能が「どのように」実装されているかを知ることなく、アプリケーション110が書かれてよいようにする(作成できるようにする)。アプリケーション110は、例えば、レンダリングがどのように実行されることになるかを知ることなく、表示装置112によりレンダリング及び表示されるべきデータをオペレーティングシステム108に提供してもよい。オペレーティングシステム108は、他の様々な機能を表現してもよく、例えば、コンピュータ装置102のユーザにより操作又はナビゲートすることが可能なユーザインタフェース及びファイルシステムを管理する機能を表現してもよい。
【００２２】
コンピュータ装置102は様々なやりとり又はインタラクションを行ってよい。例えば、キーボード、カーソル制御装置(例えば、マウス)等のような装置とともにやりとりを行うために、コンピュータ装置102は、ユーザにより操作可能な1つ以上のハードウェア装置を含んでよい。コンピュータ装置102は、様々な方式で検出されるジェスチャを利用してもよい。ジェスチャは、身振り又は手振り等と表現されてもよい。コンピュータ装置102は、例えば、コンピュータ装置102のタッチパネル機能を利用して検出される接触ジェスチャを利用してもよい。
【００２３】
センサ114は、表示装置112に関連する接触パネル機能を提供するように形成されていてもよい。センサ114は、対象の接近を検出するように形成されており、例えば、容量、抵抗、音響、光(例えば、画素センサ)等を利用してよい。「対象」は「オブジェクト」又は「物体」等と言及されてもよい。これらについての具体例は、ユーザの一方及び他方の手116、118が描かれている図1に示されている。ユーザの第1の手116はコンピュータ装置102の外部筐体120(例えば、ハウジング)を持っているように描かれている。ユーザの第2の手118は、1つ以上の入力を与えるように描かれており、1つ以上の入力は、表示装置112のタッチパネル機能を利用して検出され、例えばスワイプジェスチャ(指を滑らせる動作)を行って、図示されているようにオペレーティングシステム108のスタートメニューのアプリケーションの表示を移動する(パンする)ような処理を実行する。これはアクティブ又はパッシブなスタイラスによるユーザ入力に適用されてもよい。
【００２４】
しかしながら、このような方式による表示装置112の操作は、従来の形式で光学的に結合された表示装置の場合、視覚的なアーチファクトが、表示装置112により出力されることを引き起こしてしまうかもしれない。例えば、ユーザの手118の1本以上の指により加えられる圧力は、表示装置112に視覚的なアーチファクトを表示させるかもしれない。更に、従来の表示装置では、視覚的なアーチファクトは他の様々な原因で引き起こされる可能性があり、例えば、表示装置112の製造工程や、コンピュータ装置102の一部分として表示装置112を製造する最中に導入されたストレスに起因するかもしれない。そのような場合、表示アーチファクトは永続的に生じてしまうおそれがある。そこで、本願では、表示装置112の一部分としてサポート部122が使用される技術が提供され、サポート部は、視覚的なアーチファクト及びその他の要因を削減する又は解消することさえ可能にするように形成され、この点については関連する図面を参照しながら以下において説明される。
【００２５】
図2は、表示装置の製造の仕方を示す実施形態におけるシステム200を示す。本システム200は第1の段階202及び第2の段階204を用いて表示装置112を製造する様子を示す。第1の段階において、外部筐体120は、コンピュータ装置102の部品が収容される空間を形成するように図示されている。これらの部品又は要素は、処理システム104、メモリ106、表示装置112、及びコンピュータ装置102の他の部品を含んでもよい。
【００２６】
表示装置112は、タッチパネルアセンブリ202、表示モジュール204及び表示ハウジング206を含むように図示されている。タッチパネルアセンブリ202は、例えば図1に関連して示されている1つ以上のセンサ114を利用することにより、接触機能又は接触感知機能を発揮し、対象の接近を検出するように形成されている。
【００２７】
表示モジュール204は、表示ハウジング206内に固定され、外部筐体120が形成する空間(3次元領域)の中に設けられるように図示されている。表示モジュール204は様々な方式で形成されてもよく、例えば、液晶表示モジュール、有機発光ダイオード(OLED)等により形成されてもよい。表示モジュール204は表示ハウジング206の内側に設けられるように図示されており、表示モジュール204の部品を一緒に固定するように形成され、これらの具体的な構造については図5に図示されており後述される。
【００２８】
第1の段階202において、タッチパネルアセンブリ202は、外部筐体120の中にある表示モジュール204及び表示ハウジング206の上方にあるように図示されている。第2の段階204において、タッチパネルアセンブリ202は、例えば光学的接着剤(optical  bonding  adhesive)208又はその他の材料を利用して、表示モジュール204に光学的に結合される。更に、タッチパネルアセンブリ202は、タッチパネルアセンブリと外部筐体120の棚状部(ledge)との間に接着剤を使うことにより、外部筐体120にも固定される。このように、タッチパネルアセンブリ202は、外部筐体120及び表示モジュール204の双方に対して固定される。
【００２９】
しかしながら、この製造工程の場合、タッチパネルアセンブリ202と表示ハウジング206との間にギャップ210が形成されるかもしれない。ギャップ210は、(図1のユーザの手118の指から)タッチパネルアセンブリ202に印加された圧力を、表示モジュール204に伝える作用を引き起こす。この圧力は、表示モジュール204の変形を引き起こし、その結果、表示モジュール204による視覚的なアーチファクトの表示出力を引き起こしてしまうことが懸念される。
【００３０】
図3はシステム300を示し、図1のコンピュータ装置102の上位表面と図2の表示装置112とが組み込まれている。タッチパネルアセンブリ202を外部筐体120に取り付けていることは、第1の周辺部を規定することにより図示されており、第1の周辺部は図2に示されている外部筐体120の棚状部に沿っている。混乱のおそれがない限り、「周辺部」は、「周辺」、「周囲」、「輪郭」、「外周」等と言及されてもよい。
【００３１】
表示ハウジング206は外部筐体120の空間の中に設けられる。従って、表示ハウジング206に沿う辺端部は第2の周辺部を規定するように使用されてよい。混乱のおそれがない限り、「辺端部」は、「端」、「辺」、「縁」、「エッジ」等と言及されてもよい。表示モジュール204は、図2に示されているように、タッチパネルアセンブリ202の一部分に対して、光学的に結合されてもよい。従って、光学的な結合は、表示ハウジング206により規定される第2の周辺部の内側に少なくとも一部が形成されている第3の周辺部を規定し、第2の周辺部は、タッチパネルアセンブリ202を外部筐体120に取り付けることにより規定される第1の周辺部に沿って少なくとも一部が形成されている。
【００３２】
(発明者等にとって)従来の技術では、第1及び第3の周辺部の間にあるギャップは、例えば第2の周辺部の近くにあり、ギャップは、ギャップの場所で加えられた圧力により、視覚的なアーチファクトを生じさせる。ユーザの手118の指により印加された圧力のような具体例が説明されているが、他の要因による例も本願で想定されている。
【００３３】
更に、タッチパネルアセンブリ202、表示モジュール204及び表示ハウジング206を含むスタック構造(又は積層構造)のような光学的に結合された表示結合スタック構造における複数の異なる材料に起因して、製造工程の途中で残留ストレス(又は残留応力)が蓄積するかもしれない。これは、結合される装置を外部筐体120に組み込む際に生じる印加応力も含み、例えば、携帯装置の形状因子を決定するような薄い装置を形成する際にそのような応力又はストレスが生じるかもしれない。
【００３４】
更に、ある表示モジュールは、プレーン切替(plane  switching)、プレーンライン切替(plane  line  switching)等のような広角表示を利用できるように形成されてもよい。しかしながら、そのような装置は、印加された圧力及び残留圧力(例えば、ストレス)に対して高い感度を有する。例えば、これらの圧力は、組み込まれている液晶の偏光状態を変更し、光の漏洩、異なる波長色のバンド(カラーバンド)、端部の表示不具合(edge  pooling)等のような、表示装置112のユーザにより目視可能な視覚的な影響を生じさせる。これらの視覚的な影響は、薄い装置内で部品を組み立てる工程により生じる印加応力に起因して、例えば上記の1つ以上の周辺部のような辺又はエッジに沿って増幅される。これらのひずみは表示装置112に対するユーザの使用感や製品の信頼性等に大きな影響を及ぼすおそれがある。この問題に対する(発明者等にとって)従来の解決手段は表示モジュールの作り直しを含むが、そのようなことをすると、法外に高価になってしまうことに加えて、組み立て工程で生じたストレスに対処することは困難である。
【００３５】
そこで、ディスプレイ装置112は本願で説明される技術を活用して上記の問題を軽減し、場合によっては解消することさえ可能である。これらの技術は、上記の問題に対処するための組み立て方式、方法及び材料等を含む。例えば、図1に示されているようなサポート部122が、外部筐体内において結合されるディスプレイを組み込む際に、支持されていない領域を除去するために使用される。サポート部122は様々な方法で形成されてもよく、例えば、タッチパネルアセンブリ202、表示モジュール204、表示ハウジング206等の一部分として形成されてもよいし、(例えば、配置プロセスにより組み込まれる)個別素子として形成されてもよいし、具体例については関連する図面を参照しながら後述する。
【００３６】
図4は、図1に示すサポート部122を含むシステム例400を示す。上述したように、タッチパネルアセンブリ202は、表示モジュール204に光学的に結合され、外部筐体120に固定され、上述したように第1及び第3の周辺部を規定している。サポート部122は、第1及び第3の周辺部の間(例えば、上記の第2の周辺部の近く)であって、タッチパネルアセンブリ202と表示ハウジング206との間に設けられる。サポート部122は、図2に関して説明されたギャップ210に位置付けられ、タッチパネルアセンブリ202及び表示ハウジング206に接触するようにこの例では図示されている。
【００３７】
サポート部122は様々な方法で設定及び形成されてよい。例えば、サポート部122は、タッチパネルアセンブリ202が表示モジュール204に光学的に結合された後に追加されてもよい。これは、タッチパネルアセンブリ202と表示ハウジング206との間のギャップ210に、くさび状部材(shim)のようなサポート部122を挿入することにより実行されてもよい。別の例では、表示ハウジング206が、タッチパネルアセンブリ202に接触するように修正され、表示ハウジング206の一部分としてサポート部122が形成されてもよい。更に別の例では、サポート部122として機能するように硬化する接着剤として、サポート部122が形成されてもよい。
【００３８】
サポート部122は、タッチパネルアセンブリ202が表示モジュール204に結合される前に形成されてもよい。これは様々な方法で実行されてよい。例えば、サポート部122は、タッチパネルアセンブリ202の底面側(又は背面側)に、硬化するとサポート部として機能するようになる接着剤を塗布することにより形成されてもよい。タッチパネルアセンブリ202及び/又は表示ハウジング206に印刷工程により材料が適用され、サポート部122が形成されてもよい。フィルム状接着剤又は接着剤層がサポート部122として適用されてもよいし、液体光学結合材料(liquid  optical  bonding)が使用されてもよいし、紫外線(UV)硬化接着剤、エポキシ材料、ウレタン材料、アクリル系材料、シリコン系材料等のようなオープンセル(open  cell)又はクローズドセル(closed  cell)の介在材料(介在することが可能な材料)が使用されてもよい。このように、視覚的なアーチファクトを表示モジュール204により生じさせるストレスを減らすためのサポート部122は、様々な方法で形成されてよい。
【００３９】
図5は、タッチパネルアセンブリ202及びディスプレイモジュール204の具体例を詳細に示すシステム500を示す。この例では、タッチパネルアセンブリ202が保護ガラス502及びタッチセンサ504を利用して形成されている。上述したように、タッチセンサ504は、様々な形態をとることが可能であり、図示の例では容量方式のセンサであるが、他の方式を使用することも想定されている。
【００４０】
表示モジュール204は、偏光部506と、2層のLCDガラス510、512の間に設けられた液晶部508とを含む。図示の例では、端部照明構造が示されており、LED514が光学ガイドプレート(光案内板)516に光を投影し、リフレクタ518を利用して、上記の偏光部520及び液晶部508の方に光を伝搬させている。
【００４１】
表示モジュール204の構成要素は表示ハウジング206内に設けられている。図示の例の場合、構成要素はテープ522を用いてハウジングに固定されているが、他の方法も想定されている。上述したように、これらの部品又は構成要素の製造中に圧力が加わるかもしれない。その一例は、外部筐体120の側面に向かう表示ハウジング206の圧力に加えて、外部筐体120を組み込む際に部品を曲げることに起因して生じる圧力を示す仮想的な矢印を用いて図示されている。従って、サポート部122は、上述したように圧縮応力を緩和させ場合によっては解消することさえできるような位置に存在している。LCDモジュールを利用する例が示されているが、他の表示モジュールを利用することも想定されている。
＜まとめ＞
【００４２】
以上、本発明は構造的構成及び/又は方法的動作に特化した言葉で説明されてきたが、添付の特許請求の範囲で規定される本発明は、具体的に記述された構成や動作に必ずしも限定されないことが、理解されるであろう。むしろ具体的な構成や動作は特許請求の範囲に記載された発明を実施する際の具体的な形態として開示されている。
【図１】
2015510205.tif 000003
【図２】
2015510205.tif 000004
【図３】
2015510205.tif 000005
【図４】
2015510205.tif 000006
【図５】
2015510205.tif 000007
【国際調査報告】
2015510205.tif 000008
2015510205.tif 000009